(57)【要約】【課題】操作性に優れ、しかも任意の軸方向位置で操作部を容易にストップさせることが可能なカテーテル用ハンドルを提供すること。【解決手段】ハンドル本体２４と、ハンドル本体２４に対して軸方向に移動自在に装着される操作部２２と、ハンドル本体２４と操作部２２との間に装着され、操作部２２の外周面に形成してあるテーパ面４０に内周面が接触するリング状の弾性部材４２と、弾性部材４２をハンドル本体２４の軸方向両側からはさんで装着されるバックアップリング４１，４３とを有するカテーテル用ハンドルである。【選択図】        図２
2011055847.tif 000002
【特許請求の範囲】
【請求項１】
ハンドル本体と、
前記ハンドル本体に対して軸方向に移動自在に装着される操作部と、
前記ハンドル本体と前記操作部との間に装着され、前記操作部の外周面に形成してあるテーパ面に内周面が接触するリング状の弾性部材と、
前記弾性部材を前記ハンドル本体の軸方向両側からはさんで装着されるバックアップリングとを有するカテーテル用ハンドル。
【請求項２】
前記操作部にカテーテルチューブの近位端が固定してあり、
前記ハンドル本体に前記弾性部材およびバックアップリングが装着してあり、
前記ハンドル本体の内周に前記操作部の一部が入り込み、
前記ハンドル本体の内周に入り込んでいる前記操作部の外周面に前記テーパ面が形成してあり、
前記カテーテルチューブ内には、操作用ワイヤが挿通してあり、
前記操作用ワイヤの遠位端が前記カテーテルチューブの遠位端の一部に固定してあり、
前記操作用ワイヤの近位端が前記ハンドル本体の一部に固定してあり、
前記ハンドル本体に対して前記操作部を遠位端方向に向けて移動することで、前記弾性部材が、前記テーパ面における外径が大きい側に軸方向に相対移動する請求項１に記載のカテーテル用ハンドル。
【請求項３】
前記ハンドル本体の内周に入り込んでいる前記操作部の外周面には、遠位端方向に外径が小さくなるテーパ面が形成してあり、
前記テーパ面の外周面に、前記弾性部材の内周面と前記バックアップリングの内周面とが接触して軸方向に移動可能に構成してある請求項２に記載のカテーテル用ハンドル。
【請求項４】
前記ハンドル本体に対して前記操作部を軸方向に移動させることで、前記カテーテルチューブの遠位端部を操作する請求項２または３に記載のカテーテル用ハンドル。
【請求項５】
前記バックアップリングは、前記弾性部材よりも摩擦抵抗が小さい部材で構成してある請求項１〜４の何れかに記載のカテーテル用ハンドル。
【請求項６】
前記バックアップリングは、前記弾性部材よりも硬度が高い部材で構成してある請求項１〜５の何れかに記載のカテーテル用ハンドル。
【請求項７】
前記バッグアップリングは、フッ素樹脂、または金属で構成してある請求項１〜６の何れかに記載のカテーテル用ハンドル。
【発明の詳細な説明】
【技術分野】
【０００１】
本発明は、操作性に優れたカテーテル用ハンドルに関する。
【背景技術】
【０００２】
医療用カテーテルとしては、種々のカテーテルが提案されている。カテーテルの近位端側には、通常、カテーテル用ハンドルが設けられる。カテーテル用ハンドルは、カテーテルの種類に応じて種々のものが提案されている。
【０００３】
たとえばカテーテルの遠位端部を、カテーテル用ハンドルの操作部を操作して曲げたり伸ばしたりしたい場合がある。
【０００４】
そのような場合に用いられるカテーテル用ハンドルとしては、たとえば下記の特許文献１に示すように、長い筒の中に駆動部材を組み込んだピストン構造のハンドルが提案されている。この従来のハンドルでは、ピストンの外径とシリンダの内径とは軸方向に沿って一定である。
【０００５】
カテーテルの使い方によっては、カテーテルの遠位端を患者の体内に挿入し、カテーテルの遠位端を曲げたままで形状を保持したい場合がある。そのような場合には、カテーテル用ハンドルに対して操作部の軸方向移動にブレーキをかける必要がある。そこで、ピストンの外周とシリンダの内周との間にＯリングなどのリング状弾性部材を装着し、カテーテル用ハンドルの操作部を軸方向に任意の位置でブレーキ可能にしてある構造が提案されている。
【０００６】
しかしながら、従来のハンドルでは、ピストンの外径とシリンダの内径とは軸方向に沿って一定であるため、ブレーキ性能を向上させようとすると、ハンドルに対する操作部の移動操作が最初から重くなり、操作し難いという課題がある。また、操作性を向上させると、ブレーキ性能が低下するという課題がある。
【０００７】
そこで、上記課題を解決するために、本出願人は、ピストンの外周にテーパを形成した構造を提案している。しかしながら、このような構造のハンドルでは、ハンドルの可動部分にテーパが形成されているために、クリアランス（隙間）の大きい方向へ操作部を移動操作すると、Ｏリングがその隙間に巻き込まれてしまうおそれがあり、操作性が低下するという課題があることが判明した。
【特許文献１】特開２００３−３１９９１５号公報
【発明の開示】
【発明が解決しようとする課題】
【０００８】
本発明は、このような実状に鑑みてなされ、その目的は、操作性に優れ、しかも任意の軸方向位置で操作部を容易にストップさせることが可能なカテーテル用ハンドルを提供することである。
【課題を解決するための手段】
【０００９】
上記目的を達成するために、本発明に係るカテーテル用ハンドルは、
ハンドル本体と、
前記ハンドル本体に対して軸方向に移動自在に装着される操作部と、
前記ハンドル本体と前記操作部との間に装着され、前記操作部の外周面に形成してあるテーパ面に内周面が接触するリング状の弾性部材と、
前記弾性部材を前記ハンドル本体の軸方向両側からはさんで装着されるバックアップリングとを有することを特徴とする。
【００１０】
好ましくは、前記操作部にカテーテルチューブの近位端が固定してあり、
前記ハンドル本体に前記弾性部材およびバックアップリングが装着してあり、
前記ハンドル本体の内周に前記操作部の一部が入り込み、
前記ハンドル本体の内周に入り込んでいる前記操作部の外周面に前記テーパ面が形成してあり、
前記カテーテルチューブ内には、操作用ワイヤが挿通してあり、
前記操作用ワイヤの遠位端が前記カテーテルチューブの遠位端の一部に固定してあり、
前記操作用ワイヤの近位端が前記ハンドル本体の一部に固定してあり、
前記ハンドル本体に対して前記操作部を遠位端方向に向けて移動することで、前記弾性部材が、前記テーパ面における外径が大きい側に軸方向に相対移動する。
【００１１】
好ましくは、前記ハンドル本体の内周に入り込んでいる前記操作部の外周面には、遠位端方向に外径が小さくなるテーパ面が形成してあり、
前記テーパ面の外周面に、前記弾性部材の内周面と前記バックアップリングの内周面とが接触して軸方向に移動可能に構成してある。
【００１２】
好ましくは、前記ハンドル本体に対して前記操作部を軸方向に移動させることで、前記カテーテルチューブの遠位端部を操作する。
【００１３】
好ましくは、前記バックアップリングは、前記弾性部材よりも摩擦抵抗が小さい部材で構成してある。
【００１４】
好ましくは、前記バックアップリングは、前記弾性部材よりも硬度が高い部材で構成してある。
好ましくは、前記バッグアップリングは、フッ素樹脂、または金属で構成してある。
【発明の効果】
【００１５】
本発明によれば、操作性に優れ、しかも任意の軸方向位置で操作部を容易にストップさせることが可能なカテーテル用ハンドルを提供することができる。
【発明を実施するための最良の形態】
【００１６】
以下、本発明を、図面に示す実施形態に基づき説明する。
【００１７】
図１に示すように、本発明の一実施形態に係る先端偏向操作可能カテーテル２は、たとえば心臓における不整脈の診断または治療に用いられるものであり、カテーテルチューブ（チューブ部材）４の遠位端部に、先端チップ１０と、複数の中間リング１２とが装着してある。先端チップ１０および中間リング１２は、電極として機能し、たとえば接着剤による接着などでカテーテルチューブ４に対して接続固定される。
【００１８】
カテーテルチューブ４の近位端には、ハンドル２０が装着してある。カテーテルチューブ４及びハンドル２０内部には、それぞれ導線が引き通されており、その先端が電極を構成する先端チップ１０および中間リング１２に電気的に接続されている。また、これらの導線の基端は、図２に示すハンドル２０の後端部に固定してあるコネクタ２１に接続される。また、ハンドル２０には、カテーテルチューブ４の遠位端部の偏向移動操作（首振り操作）を行うための操作用摘み２２が装着してある。
【００１９】
カテーテルチューブ４は、中空のチューブ部材で構成してあり、軸方向に沿って同じ特性のチューブで構成しても良いが、好ましくは、比較的可撓性に優れた遠位端部分と、遠位端部分に対して軸方向に一体に形成され、遠位端部分よりも比較的に剛性のある近位端部分とを有する。なお、図１では、カテーテルチューブ４の長さが短く図示してあるが、実際には、ハンドル２０の軸方向長さよりも数倍〜数十倍程度に長い。
【００２０】
カテーテルチューブ４は、たとえばポリオレフィン、ポリアミド、ポリエーテルポリアミド、ポリウレタンなどの合成樹脂で構成される。カテーテルチューブ４の外径は、一般に０．６〜３ｍｍ程度であり、その内径は、０．５〜２．５ｍｍ程度である。カテーテルチューブ４の軸方向ルーメンには、図１に示す電極を構成する先端チップ１０および中間リング１２に接続される導線が、それぞれ絶縁されて通してある。
【００２１】
図１に示す先端チップ１０および中間リング１２は、たとえばアルミニウム、銅、ステンレス、金、白金など、電気伝導性の良好な金属で構成される。なお、Ｘ線に対する造影性を良好に持たせるためには、これらの先端チップ１０および中間リング１２は、白金などで構成されることが好ましい。先端チップ１０および中間リング１２の外径は、特に限定されないが、カテーテルチューブ４の外径と同程度であることが好ましく、通常、０．５〜３ｍｍ程度である。
【００２２】
カテーテルチューブ４の遠位端近傍の内部には、首振り部材が収容してある。首振り部材としては、特に限定されず、たとえば板バネなどで構成してある。この首振り部材としての板バネには、図２〜図４に示す操作用ワイヤ３０の遠位端が接続固定してある。
【００２３】
操作用ワイヤ３０の外径は、特に限定されないが、好ましくは０．０１〜０．３ｍｍ、さらに好ましくは０．０３〜０．０８ｍｍである。この操作用ワイヤ３０は、たとえばＮｉ−Ｔｉ系超弾性合金製で構成してあるが、必ずしも金属で構成する必要はない。操作用ワイヤ３０は、たとえば高強度の非導電性ワイヤなどで構成しても良い。
【００２４】
操作用ワイヤ３０の近位端は、本実施形態では、操作用ワイヤ３０の張力を調整した後に、図２に示すように、ワイヤ張力調整具３２に固定される。ワイヤ張力調整具３２は、ハンドル２０のハンドル本体２４の内部に軸方向移動自在に装着してある。このワイヤ張力調整具３２を、ハンドル本体２４の内部の所定の軸方向位置に固定することで、操作用ワイヤ３０の張力を調整可能になっている。
【００２５】
図２に示すように、カテーテルチューブ４の近位端は、シースチューブ２６を介して、操作用摘み２２および中軸部分２８に固定してある。操作用摘み２２および中軸部分２８が操作部に対応する。中軸部分２８は、ハンドル本体２４の内部に形成してある軸孔２５の内部に挿入され、ハンドル本体２４に対して軸方向移動自在になっている。
【００２６】
操作者は、ハンドル本体２４を片手でつかみ、その片手の指で、操作用摘み２２を操作し、中軸部分２８をハンドル本体２４に対して軸方向に移動操作可能になっている。中軸部分２８は、カテーテルチューブ４の近位端に接続固定してあることから、中軸部分２８をハンドル本体２４に対して軸方向に移動させると、操作用ワイヤ３０に対してカテーテルチューブ４の近位端が軸方向に相対移動する。なお、操作用ワイヤ３０の先端はカテーテルチューブ４の遠位端近傍に設けられた首振り部材に固定されており、操作用ワイヤ３０の近位端はハンドル２０に固定されたワイヤ張力調整具３２に固定されている。
【００２７】
中軸部分２８を遠位端側に移動させると、操作用ワイヤ３０の近位端がワイヤ張力調整具３２に固定されたままカテーテルチューブ４の近位端が遠位端側へ相対移動する。この場合には、当該中軸部分２８の操作によって、操作用ワイヤ３０にはテンションが掛かり、カテーテルチューブ４には軸方向に圧縮する力が掛かることになる。なお、操作用ワイヤ３０及びカテーテルチューブ４は、ほとんど軸方向の長さが変わることがないため、カテーテルチューブ４及び操作用ワイヤ３０が曲がることになる。その結果として、図１に示すように、カテーテルチューブ４の遠位端部が、矢印Ａで示すように、首振り偏向動作を行う。
【００２８】
すなわち、カテーテル２の遠位端は、図１に示すハンドル２０の操作用摘み２２を軸方向Ｘに操作することにより、Ａ方向に偏向して曲折移動させることができる。なお、ハンドル２０を軸回りに回転させれば、体腔内に挿入された状態で、カテーテル２に対するＡ方向の向きを自由に設定することができる。
【００２９】
本実施形態では、図３および図４に示すように、中軸部分２８の外周面には、テーパ面４０が形成してある。テーパ面４０は、ハンドル本体２４の遠位端側に行くほど、外径が小さくなるテーパ面である。テーパ面４０の軸方向の長さは、ハンドル本体２４に対して操作用摘み２２が軸方向に相対移動可能な範囲長さと同等以上が好ましい。具体的には、テーパ面４０の軸方向の長さは、好ましくは５〜２０ｍｍである。テーパ面４０のテーパ傾斜角度は、軸芯に対して、好ましくは０．１〜２．０度の角度である。
【００３０】
テーパ面４０における最大外径は、図２に示す軸孔２５の内径に対して同等以下の寸法であり、中軸部分２８が軸孔２５の内部を軸方向Ｘに移動可能となるように決定される。中軸部分２８の軸方向長さは、テーパ面４０の軸方向長さよりも、好ましくは４０〜８０ｍｍ長い。
【００３１】
ハンドル本体２４の遠位端２４ａの外周には、雄ネジ部５１が形成してあり、先端キャップ４４の内周には、雌ネジ部５２が形成してある。雄ネジ部５１と雌ネジ部５２とはネジ結合するようになっている。先端キャップ４４の遠位端４４ａの内径は、雌ネジ部５２が形成される先端キャップ４４の内周の内径よりも小さい。ハンドル本体２４の遠位端２４ａと先端キャップ４４の遠位端４４ａとの間であって、雌ネジ部５２の内周と中軸部分２８の外周との間には、リング溝４６が形成される。
【００３２】
リング溝４６には、リング状弾性部材であるＯリング４２と、その軸方向の両側にバックアップリング４１および４３が装着される。ハンドル本体２４の雄ネジ部５１を先端キャップ４４の雌ネジ部５２にねじ込むことで、リング溝４６の軸方向長さが調節され、バックアップリング４１および４３に挟まれたＯリング４２が軸方向に変形し、中軸部分２８のテーパ面４０に対するＯリング４２の締付力が変化する。
【００３３】
図５に示すように、Ｏリング４２の軸方向の幅ｔ０は、好ましくは、０．５〜４mmである。また、バックアップリング４１，４３の軸方向の幅ｔ１，ｔ２は同じであってもよいし、異なっていてもよい。幅ｔ１と幅ｔ２を同じにすることで、バックアップリングを製造する際のコストを低減することができる。
【００３４】
Ｏリング４２の軸方向の幅ｔ０は、バックアップリング４１，４３の軸方向の幅ｔ１，ｔ２以上であることが好ましい。なお、図３および図４に示すキャップ４４の近位端４４ｂとハンドル本体２４との間に形成される軸方向の隙間幅ｔ４の隙間は、バックアップリング４１，４３の幅ｔ１，ｔ２によって調整することができる。隙間幅ｔ４が、できる限り小さくなるようにバックアップリング４１，４３の幅ｔ１，ｔ２を調整することが好ましい。
【００３５】
Ｏリング４２およびバックアップリング４１，４３は、これらのリングに外力が作用しない状態で、同じ内径Ｄ２を有する。これらのリング４１〜４３に外力が作用しない状態で、内径Ｄ２は、中軸部分２８のテーパ面４０の最大外径Ｄ１と略等しいことが好ましいが、内径Ｄ２は最大外径Ｄ１よりも０．０５〜０．１mm程度大きく構成されていてもよい。
【００３６】
Ｏリング４２およびバックアップリング４３の外径Ｄ４は、ハンドル本体２４の遠位端２４ａの内径に等しい。先端キャップ４４の遠位端４４ａに接触するバックアップリング４１の外径Ｄ３は、リング溝４６におけるキャップ４４の内径よりも小さく、キャップ４４の遠位端４４ａの内径Ｄ５よりも大きい。
【００３７】
なお、図５では、バックアップリング４１の外径Ｄ３がバックアップリング４３の外径よりも大きく描いてあるが、実際には、バックアップリング４１の外径Ｄ３とバックアップリング４３の外径Ｄ４とは等しいことが好ましい。このような構成とすることで、バックアップリング４１，４３を製造する際のコストをさらに低減することができる。
【００３８】
Ｏリング４２は、たとえばシリコーンゴム、ニトリルゴム、フッ素ゴムなどのゴムまたは合成樹脂などで構成される。バックアップリング４１，４３は、たとえばフッ素樹脂、金属等で構成されることが好ましい。バックアップリング４１，４３は、Ｏリング４２よりも摩擦抵抗が小さく（あるいは滑りやすい）、硬度が高い（あるいはヤング率が高い）ことが好ましい。
【００３９】
Ｏリング４２のＪＩＳ−Ａ硬度は、好ましくは、Ａ３０〜Ａ７０で、バックアップリング４１，４３の硬度は、ＪＩＳ−Ｄ硬度のＤ４０以上に硬いことが好ましい。なお、本発明でいうＪＩＳ−Ａ硬度とは、ＪＩＳ規格Ｋ−６３０１に準拠して計測される物性値を指す。
【００４０】
次に、本実施形態に係る先端偏向操作可能カテーテル２の使用方法について説明する。操作者は、ハンドル本体２４を片手でつかみ、その片手の指で、操作用摘み２２を操作し、中軸部分２８をハンドル本体２４に対して、たとえば図３に示す状態から図４に示す状態に操作したとする。
【００４１】
その場合には、中軸部分２８はカテーテルチューブ４の近位端に接続固定してあることから、操作用ワイヤ３０に対してカテーテルチューブ４が軸方向に相対移動する。その結果として、図１に示すように、カテーテルチューブ４の遠位端部が、直線状態から矢印Ａで示すように、曲折状態になる。
【００４２】
しかも本実施形態では、ハンドル本体２４に対して中軸部分２８が遠位端方向に向けて移動することで、Ｏリング４２およびバックアップリング４１,４３が、当該中軸部分２８に対して、テーパ面４０における外径が小さい側から大きい側に軸方向に相対移動する。すなわち、この場合には、当該移動に応じてＯリング４２を円周方向へ広げる方向への力が増すことになる。なお、リング溝４６の内径は不変であるため、当該移動に応じてリング溝４６の径方向間隔が狭くなっていき、Ｏリング４２が中軸部分２８及びハンドル本体２４を押し付ける力が強くなり、Ｏリング４２と中軸部分２８との摩擦力が増すことになる。
【００４３】
また、ハンドル本体２４に対して中軸部分２８を最も近位端方向に移動させたときには、Ｏリング４２は、中軸部分２８に対して、相対的に、テーパ面４０における外径がもっとも小さい位置に位置している。そのため、この場合には、中軸部分２８とリング溝４６との間隔が最も広くなるため、Ｏリング４２が中軸部分２８及びキャップ４４を押し付ける力が最も小さくなり、Ｏリング４２と中軸部分２８との摩擦力が低減されている。したがって、操作用摘み２２をハンドル本体２４に対して軸方向に離れる方向に向けて移動させる移動初期時には、操作用摘み２２は、軽い力で軸方向に移動する。
【００４４】
バックアップリング４１，４３は、Ｏリング４２よりも摩擦抵抗が小さい部材で構成されていることから、Ｏリング４２のテーパ面４０に対する締付や軸方向移動を妨げない。また、バックアップリング４１，４３はＯリング４２よりも硬度が高い部材で構成されていることから、Ｏリング４２とは異なり、弾性変形によるテーパ面４０への締付は小さく、Ｏリング４２のテーパ面４０に対する締付や軸方向移動を妨げない。
【００４５】
また、バックアップリング４１，４３は、ハンドル本体２４とテーパ面４０との隙間へＯリング４２が咬み込まれることを防止すると共に、特に、先端キャップ４４の遠位端４４ａとテーパ面４０との隙間へＯリング４２が咬み込まれることを防止し、移動操作不良を効果的に防ぐことができる。
【００４６】
そして、操作用摘み２２から指を離したとしても、図４に示すように、外径が大きなテーパ面４０にＯリング４２が接触するため、その摩擦力のために、操作用摘み２２は、軸方向に移動しない。そのため、操作用摘み２２から指を離したとしても、図１に示すカテーテルチューブ４の遠位端部は、曲がった状態を維持することができる。
【００４７】
図１に示すカテーテルチューブ４の遠位端部を真っ直ぐな状態にするには、テーパ面４０とＯリング４２との摩擦力に逆らって、操作用摘み２２を、軸方向に移動させ、図４から図３に示す状態に戻せばよい。その際には、Ｏリング４２は、テーパ面４０における大きな外径部分から小さな外径部分に移動するため、テーパ面４０とＯリング４２との摩擦力は、徐々に小さくなる。
【００４８】
また、バックアップリング４１，４３がＯリング４２を締め付ける力を調整することで、カテーテル用ハンドルの操作性を調整することができる。締め付け力が大きくなると、テーパ面４０とＯリング４２との摩擦力が大きくなり、締め付け力が小さくなると、テーパ面４０とＯリング４２との摩擦力が小さくなる。
【００４９】
締め付け力の調整は、ハンドル本体２４の雄ネジ部５１を先端キャップ４４の雌ネジ部５２にねじ込むことでなされ、リング溝４６の軸方向長さが調節され、バックアップリング４１および４３に挟まれたＯリング４２が軸方向に変形し、中軸部分２８のテーパ面４０に対するＯリング４２の締付力が変化する。
【００５０】
なお、先端キャップ４４の近位端４４ｂとハンドル本体２４との間には、クリック用リング５０を介在させても良い。クリック用リング５０は先端キャップ４４を円周方向に回転させる際に、クリック感を付与する機構を備えた部材である。締め付け力の調整は、カテーテル用ハンドルの組立後、たとえば医者等の操作者に渡す前に行うこともできるし、操作者自身が調整することもできる。
【００５１】
なお、本発明は、上述した実施形態に限定されるものではなく、種々に改変することができる。たとえば、本発明に係るカテーテル用ハンドルは、図示する実施形態の先端偏向操作可能カテーテルに限らず、その他のカテーテルにも適用することができる。
【図面の簡単な説明】
【００５２】
【図１】図１は本発明の一実施形態に係るカテーテルの全体斜視図である。
【図２】図２は図１に示すカテーテル用ハンドルの要部断面図である。
【図３】図３は図２のさらに要部を示す断面図である。
【図４】図４は図３の状態から操作部を移動させた状態を示す断面図である。
【図５】図５は図３のさらに要部を示す断面図である。
【符号の説明】
【００５３】
２…  先端偏向操作可能カテーテル
４…  カテーテルチューブ
２０…  カテーテル用ハンドル
２２…  操作用摘み
２４…  ハンドル本体
３０…  操作用ワイヤ
４０…  テーパ面
４２…  Ｏリング
４１、４３…  バックアップリング
【図１】
2011055847.tif 000003
【図２】
2011055847.tif 000004
【図３】
2011055847.tif 000005
【図４】
2011055847.tif 000006
【図５】
2011055847.tif 000007
【手続補正書】
【提出日】平成20年9月5日(2008.9.5)
【手続補正１】
【補正対象書類名】特許請求の範囲
【補正対象項目名】全文
【補正方法】変更
【補正の内容】
【特許請求の範囲】
【請求項１】
ハンドル本体と、
前記ハンドル本体に対して軸方向に移動自在に装着される操作部と、
前記ハンドル本体と前記操作部との間に装着されるリング状の弾性部材と、
前記弾性部材を前記ハンドル本体の軸方向両側からはさんで装着されるバックアップリングとを有し、
前記操作部にカテーテルチューブの近位端が固定してあり、
前記ハンドル本体に前記弾性部材およびバックアップリングが装着してあり、
前記ハンドル本体の内周に前記操作部を構成する中軸部分が入り込み、
前記ハンドル本体の内周に入り込んでいる前記中軸部分の外周面には、遠位端方向に外径が小さくなるテーパ面が形成してあり、
前記テーパ面の外周面に、前記弾性部材の内周面と前記バックアップリングの内周面とが接触して軸方向に移動可能に構成してあり、
前記カテーテルチューブ内には、操作用ワイヤが挿通してあり、
前記操作用ワイヤの遠位端が前記カテーテルチューブの遠位端の一部に固定してあり、
前記操作用ワイヤの近位端が前記ハンドル本体の一部に固定してあり、
前記ハンドル本体に対して前記操作部を近位端から遠位端方向に向けて移動することで、前記カテーテルチューブの遠位端部が曲折するとともに、前記弾性部材が、前記テーパ面における外径が大きい側に軸方向に相対移動することを特徴とするカテーテル用ハンドル。
【請求項２】
前記ハンドル本体に対して前記操作部を近位端から遠位端方向に向けて移動することで、前記カテーテルチューブの遠位端部が直線状態から曲折状態になるとともに、前記弾性部材が、前記テーパ面における外径が大きい側に軸方向に相対移動することを特徴とする請求項１に記載のカテーテル用ハンドル。
【請求項３】
前記バックアップリングは、前記弾性部材よりも摩擦抵抗が小さい部材で構成してある請求項１または請求項２に記載のカテーテル用ハンドル。
【請求項４】
前記バックアップリングは、前記弾性部材よりも硬度が高い部材で構成してある請求項１〜３の何れかに記載のカテーテル用ハンドル。
【請求項５】
前記バッグアップリングは、フッ素樹脂、または金属で構成してある請求項１〜４の何れかに記載のカテーテル用ハンドル。